(57)【要約】【課題】簡単な構成で安価であり、且つ、素人でも容易に取り付けることのできる自動閉じ機能を備えたスイングドアを提供する。【解決手段】左右の垂直な扉枠１ａ、１ｂの何れか一方の扉枠１ａにヒンジ部材２を介して回動可能に取り付けられたスイングドアＡと、スイングドアＡの遊端近傍位置の上端部に留具４により一端が止着されたフレキシブルな紐部材３と、紐部材３の他端部に連接された錘部材６と、紐部材３の延伸方向を変えるガイド部材５と、錘部材６を案内するカバー体７とからなり、カバー体７は、スイングドアＡの遊端部が隣接する他方の扉枠１ｂに取り付けられ、錘部材６は、スイングドアＡを開いたときに前記紐部材３を介して引き上げられ、スイングドアＡから手を離したときに自重によって自然落下して前記紐部材３に連なるスイングドアＡを閉じるように形成されている構造。【選択図】図１
2017201111.tif 000002
【特許請求の範囲】
【請求項１】
左右の垂直な扉枠の何れか一方の扉枠にヒンジを介して回動可能に取り付けられたスイングドアと、
前記スイングドアの遊端近傍位置の上端部に留具により一端が止着されたフレキシブルな紐部材と、
前記紐部材３の他端部に連接された錘部材と、
前記紐部材の延伸方向を変更させるガイド部材と、
前記錘部材を案内する長尺のカバー体とからなり、
前記カバー体は、前記スイングドアの遊端部が隣接する他方の扉枠に垂直に取り付けられ、
前記錘部材は、スイングドアを開いたときに前記紐部材を介して引き上げられ、スイングドアから手を離したときに自重によって自然落下して前記紐部材に連なるスイングドアを閉じるように形成されている自動閉じ機能を備えたスイングドア。
【請求項２】
前記カバー体が筒体で形成され、前記錘部材が前記筒状カバー体の内周面に沿って摺接する外形状を有し、前記円筒状カバー体の周壁下端部には開閉可能な複数の空気穴が設けられている請求項１に記載の自動閉じ機能を備えたスイングドア。
【請求項３】
前記筒状カバー体の周壁に、上下に一定の間隔をあけて複数の空気穴が設けられている請求項１に記載の自動閉じ機能を備えたスイングドア。
【請求項４】
前記空気穴とは別に、筒状カバー体の内部が負圧になったときに開口する逆止弁を備えたエアー吸引穴が前記筒状カバー体の下端周壁に設けられている請求項１〜３の何れかに記載の自動閉じ機能を備えたスイングドア。
【請求項５】
前記錘部材に複数の錘ユニットが着脱できるようにしてある請求項１〜４の何れかに記載の自動閉じ機能を備えたスイングドア。
【請求項６】
左右の垂直な扉枠の何れか一方の扉枠にヒンジを介して回動可能に取り付けられたスイングドアと、
前記スイングドアの遊端近傍位置の上端部に留具４により一端が止着されたフレキシブルな紐部材と、
前記紐部材の他端部に連接された引っ張りスプリングと、
前記紐部材の中間を垂直方向に屈曲させるガイド部材と、
前記引っ張りスプリングを隠すカバー体とからなり、
前記カバー体は、前記スイングドアの遊端部が隣接する他方の扉枠に取り付けられ、
前記引っ張りスプリングは、スイングドアを開いたときに前記紐部材を介して伸張し、スイングドアから手を離したときに復元して前記紐部材に連なるスイングドアを閉じるように形成されている自動閉じ機能を備えたスイングドア。
【発明の詳細な説明】
【技術分野】
【０００１】  本発明は、トイレや室内、玄関などに用いられる自動閉じ機能を備えたスイングドアに関する。尚、本発明でいうスイングドアとは、ヒンジを支点として回動する片開ドアをいう。。
【背景技術】
【０００２】  一般にスイングドアの自動閉じ機構として、特許文献１や２に示すよう流体シリンダとリンクを組み合わせたクローザが知られている。
【先行技術文献】
【特許文献】
【０００３】
【特許文献１】特開平８−２１２４号公報
【特許文献２】特開２００３−３５０６５号公報
【発明の概要】
【発明が解決しようとする課題】
【０００４】  しかしながら、特許文献に示すようなクローザは、高価なシリンダを必要とし、且つ、シリンダとリンクとが複雑に組み付けられた精密機器であるためコストが高く付くと共に、取付け時の設定が難しく、素人がクローザを購入してドアに取り付ける作業は大変難しいといった課題があった。【０００５】  そこで、本発明は、上記従来課題に鑑み、素人でも容易に取り付けることができると共に簡素な部材で安価に製作することができる自動閉じ機能を備えたスイングドアを提供することを目的とする。
【課題を解決するための手段】
【０００６】  上記課題を解決するために本発明では次のような技術的手段を講じた。即ち、本発明の請求項１に記載のスイングドアにあっては、左右の垂直な扉枠の何れか一方の扉枠にヒンジを介して回動可能に取り付けられたスイングドアと、
前記スイングドアの遊端近傍位置の上端部に留具により一端が止着されたフレキシブルな紐部材と、
前記紐部材３他端部に連接された錘部材と、
前記紐部材の延伸方向を変えるガイド部材と、
前記錘部材を案内する長尺のカバー体とからなり、
前記カバー体は、前記スイングドアの遊端部が隣接する他方の垂直な扉枠に沿って取り付けられ、
前記錘部材は、前記スイングドアを開いたときに前記紐部材を介して引き上げられ、スイングドアから手を離したときに自重によって自然落下して前記紐部材を介してスイングドアを閉じるように形成されている構造とした。
【発明の効果】
【０００７】  上記のごとく本発明では、それぞれの構成部材、即ち、紐部材と錘部材、並びに留具、ガイド部材、カバー体が非常に簡素な構造で安価に製作できるので、トータルコストを低く抑えることができ、しかも取り付けも、各部材をビスなどでスイングドアと扉枠の所定位置に取り付けるだけでよいので、素人でも容易にセッティングすることができるといった効果がある。【０００８】  上記発明において、前記カバー体が円筒状の筒体で形成され、前記錘部材が前記円筒状カバー体の内径と略同じ外径の円柱体で形成されており、前記円筒状カバー体の周壁下端部には開閉可能な複数の空気穴が設けられている構成とするのがよい。
これにより、円筒状カバー体の下端部周壁に形成した複数の空気穴の栓を選択的に取り外して空気穴から抜ける空気量を調整することにより、錘部材の降下スピードを調整することができ、これにより、スイングドアを緩やかに閉じることができる。【０００９】  上記発明において、前記円筒状カバー体の周壁に、上下に一定の間隔をあけて複数の空気穴が設けられている構成とするのがよい。
これにより、錘部材の落下速度を徐々に低下させることができてスイングドアを徐々に緩やかになるように閉じることができる。【００１０】  上記発明において、前記空気穴とは別に、円筒状カバー体の内部が負圧になったときに開口する逆止弁を備えたエアー吸引穴が前記円筒状カバー体の下端周壁に設けられている構成とするのがよい。
これにより錘部材の上動をスムースに行うことができ、スイングドアを軽く開けることができる。【００１１】  上記発明において、前記錘部材に複数の錘ユニットが着脱できるようにするのがよい。これにより、スイングドアのサイズや重量に合わせて錘部材の重さを加減することができる。【００１２】  また、本発明は、左右の垂直な扉枠の何れか一方の扉枠にヒンジ部材を介して回動可能に取り付けられたスイングドアと、
前記スイングドアの遊端近傍位置の上端部に留具４により一端が止着されたフレキシブルな紐部材と、
前記紐部材の他端部に連接された引っ張りスプリングと、
前記紐部材の中間を垂直方向に屈曲させるガイド部材と、
前記引っ張りスプリングを隠すカバー体とからなり、
前記カバー体は、前記スイングドアの遊端部が隣接する他方の扉枠に取り付けられ、
前記引っ張りスプリングは、スイングドアを開いたときに前記紐部材を介して伸張し、スイングドアから手を離したときに復元して前記紐部材に連なるスイングドアを閉じるように形成されているスイングドアも特徴とする。
これにより、スイングドアをスプリングの張力に抗して紐部材を引っ張りながら開けることができるとともに、開姿勢のスイングドアから手を離すとスプリングの復元力によってスイングドアを自動的に閉じることができる。
【図面の簡単な説明】
【００１３】
【図１】本発明にかかるスイングドアの斜視図。
【図２】上記スイングドアを閉じた状態の一部断面正面図。
【図３】上記スイングドアの平面図。
【図４】本発明におけるカバー体部分の拡大断面図。。
【図５】カバー体の別実施例を示す断面図。
【図６】カバー体の更に別の実施例を示す断面図。
【図７】本発明の別の実施態様を示す一部断面正面図。
【発明を実施するための形態】
【００１４】  以下において、本発明の詳細をその実施の形態を示す図面に基づいて詳細に説明する。図において、符号Ａは、左右の垂直な扉枠１ａ、１ｂの一方の扉枠１ａにヒンジ２を介して回動可能に取り付けられたスイングドアである。このスイングドアＡは、図２、図３で示すように、左右の扉枠１ａ、１ｂの間を閉じる閉姿勢から、図３の矢印方向に開放できるように形成されている。
【００１５】  スイングドアＡの遊端近傍位置の上端部に紐部材３の一端が留具４により止着されている。紐部材３はフレキシブルな材料で形成されており、その他端部は、扉枠１ｂの上端部に設けられたガイド５を介して下方に摺接自在に屈折され、他方の扉枠１ｂに沿って下方に延長されてその先端に錘部材６が吊下げられている。錘部材６は、扉枠１ｂに取り付けられた長尺のカバー体７に沿って上下に移動するようにしてある。錘部材６がカバー体７の最下端まで移動したときにスイングドアＡが閉じ姿勢となるように、紐部材３の長さが予め設定されている。また、スイングドアＡを開放して手を離したときに、スイングドアＡが錘部材６の自然落下によって紐部材３を介して引っ張られて閉姿勢まで閉じるように、錘部材６の重量が予め設定されている。
【００１６】  本実施例において、前記カバー体７は断面円形の筒体で形成され、錘部材６は筒状カバー体７の内周面に摺接して上下動するように形成されている。そして筒状カバー体７の下端部の周壁には複数の空気穴７ａが設けられており、着脱自在な栓７ｂで閉塞したり開放したりすることができるようにしてある。
【００１７】  錘部材６は、スイングドアＡのサイズに合わせて重さが加減できるようにするのがよい。例えば、図示は省略するが、錘部材６の他に、小重量の追加用錘部材を複数用意しておいて、これを錘部材６に連結追加できるようにするのがよい。
【００１８】  次に動作について説明する。
図２、図３の閉じ姿勢からスイングドアＡを開くと、紐部材３が引っ張られて錘部材６が筒状カバー体７に沿って吊り上げられる。そしてスイングドアＡから手を離すと、スイングドアＡが錘部材６の自然落下によって紐部材３を介して引っ張られて閉姿勢まで自動的に閉じられる。
この場合、筒状カバー体７の下端部周壁に形成した複数の空気穴７ａの栓７ｂを選択的に取り外すことによって、空気穴７ａから抜ける空気量を調整することにより、錘部材６の降下スピードを調整することができる。これにより、スイングドアＡを緩やかに閉じることができる。尚、図示は省略するが、この筒状カバー体７の内部が負圧になると全開する逆止弁を備えた空気穴を別途設けるのがよい。これにより錘部材６の上動をスムースに行うことができ、スイングドアＡを軽く開けることができる。
【００１９】  筒状カバー体７の空気穴は、図５に示すようにカバー体周壁の上下に沿って一定間隔をあけて常時開口させた空気穴７ａ’を複数設けるようにしてもよい。こうすることによって、錘部材６の落下速度を徐々に低下させることができ、これによりスイングドアＡを徐々に緩やかになるように閉じることができる。
【００２０】  また本発明では、スイングドアＡが閉じる際の衝撃を緩和するために、前記空気穴７ａに代えて、図６に示すようにカバー体７の下端部にクッション部材９を設置するようにしてもよい。この場合は、カバー体７と錘部材６周面との間には隙間が形成される。クッション部材９は例えば発泡スチロールなどの発泡性合成樹脂が好ましいがスプリングであってもよい。
【００２１】  図７は本発明の別の実施態様を示す正面図である。
この実施態様では、紐部材３の先端部に、上記錘部材６に代えて引っ張りスプリング８が用いられている。スプリング８は、扉枠１ｂに取り付けられたカバー体７によって隠されている。スプリング８は、スイングドアＡを常時閉姿勢に維持できる張力のものが用いられており、スイングドアＡはスプリング８の張力に抗して紐部材３を引っ張りながら開けることができる。スイングドアＡを開いた姿勢から手を離すとスプリング８の復元力によってスイングドアＡが紐部材３を介して引っ張られて自動的に閉姿勢まで閉じられる。
【００２２】  以上、本発明の代表的な実施例について説明したが、本発明は必ずしも上記の実施例の構造のみに特定されるものではない。例えば上記実施例では、カバー体７を断面円形の筒体で形成したが、断面四角筒状、または断面コの字状の形態で形成してもよい。その他本発明ではその目的を達成し、請求の範囲を逸脱しない範囲内で適宜修正、変更することが可能である。
【産業上の利用可能性】
【００２３】  本発明は、自動閉じ機能を備えたスイングドアとして適用することができる。
【符号の説明】
【００２４】Ａ  スイングドア折戸
１ａ、１ｂ  扉枠
２  ヒンジ
３  紐部材
４  留具
５  ガイド部材
６  錘部材
７  カバー体
７ａ  空気穴
７ｂ  栓
【図１】
2017201111.tif 000003
【図２】
2017201111.tif 000004
【図３】
2017201111.tif 000005
【図４】
2017201111.tif 000006
【図５】
2017201111.tif 000007
【図６】
2017201111.tif 000008
【図７】
2017201111.tif 000009